(57)【特許請求の範囲】
【請求項１】
通信網を介して通信端末と通信を行う、ユーザに装着可能な装着型端末であって、
前記ユーザに装着されているか否かを検知する検知部と、
前記通信端末からメッセージを受信してから所定期間経過するまで前記メッセージが未読状態である場合に、報知を行う報知部と、
を備え、
前記報知部は、前記検知部によって前記ユーザに装着されていないと検知された場合には、前記報知を中止し、
前記検知部によって前記ユーザに装着されていないと検知されて前記報知部が前記報知を中止すると、前記通信端末に通知を行う通知部を更に備える、
装着型端末。
【請求項２】
前記報知部は、前記検知部によって前記ユーザに装着されていないと検知された場合には、前記報知としての音声出力又は前記装着型端末の振動を中止する、
請求項１に記載の装着型端末。
【請求項３】
前記通知部は、前記通知として、前記メッセージが未読状態である旨のメッセージを前記通信端末に送信する、
請求項１に記載の装着型端末。
【請求項４】
前記通知部は、前記通知として、前記装着型端末の位置情報を送信する、
請求項１に記載の装着型端末。
【請求項５】
前記装着型端末は、前記ユーザの腕に装着可能な腕時計型の端末であり、
前記検知部は、前記腕に装着されているか否かを検知する、
請求項１から４のいずれか１項に記載の装着型端末。
【請求項６】
通信網を介して通信端末からメッセージを受信してから所定期間経過するまで前記メッセージが未読状態である場合に、報知を行うステップと、
装着型端末がユーザに装着されているか否かを検知するステップと、
前記ユーザに装着されていないと検知された場合には、前記報知を中止し、前記通信端末に通知を行うステップと、
を備える通知方法。
【請求項７】
装着型端末が有するコンピュータに、
通信網を介して通信端末からメッセージを受信してから所定期間経過するまで前記メッセージが未読状態である場合に、報知を行うステップと、
装着型端末がユーザに装着されているか否かを検知するステップと、
前記ユーザに装着されていないと検知された場合には、前記報知を中止し、前記通信端末に通知を行うステップと、
を実行させるためのプログラム。
【発明の詳細な説明】
【技術分野】
【０００１】
本発明は、装着型端末、通知方法及びプログラムに関する。
【背景技術】
【０００２】
子供を狙った犯罪が発生する中、子供から離れた位置にいる親が子供の状態を把握したいというニーズが高まっている。離れた位置にいる子供の状態を親が把握するための方法として、例えば特許文献１には、親の携帯端末からの指示に応じて、子供の携帯端末が、周辺の画像、周辺の音、又は子供の位置等の情報を親の携帯端末に送信する方法が開示されている。
【先行技術文献】
【特許文献】
【０００３】
【特許文献１】特開２００５−６４８８５号公報
【発明の概要】
【発明が解決しようとする課題】
【０００４】
ところで、子供の携帯端末として子供の腕等に装着する装着型端末が提案されている。かかる装着型端末は、腕に装着された状態で親の携帯端末との間で情報を送受信する。
携帯端末においては他の携帯端末等からメッセージを受信すると報知が行われるが、装着型端末が子供の腕から取り外されて放置等されている場合には、上記の報知が行われても子供が気付かないため、装着型端末の電力が無駄に消費されてしまう。
【０００５】
そこで、本発明はこれらの点に鑑みてなされたものであり、ユーザへの装着状況に応じて適切に動作可能な装着型端末を提供することを目的とする。
【課題を解決するための手段】
【０００６】
本発明の第１の態様においては、通信網を介して通信端末と通信を行う、ユーザに装着可能な装着型端末であって、前記ユーザに装着されているか否かを検知する検知部と、前記通信端末からメッセージを受信してから所定期間経過するまで前記メッセージが未読状態である場合に、報知を行う報知部と、を備え、前記報知部は、前記検知部によって前記ユーザに装着されていないと検知された場合には、前記報知を中止する、装着型端末を提供する。
【０００７】
また、前記報知部は、前記検知部によって前記ユーザに装着されていないと検知された場合には、前記報知としての音声出力又は前記装着型端末の振動を中止することとしてもよい。
【０００８】
また、前記装着型端末は、前記検知部によって前記ユーザに装着されていないと検知されて前記報知部が前記報知を中止すると、前記通信端末に通知を行う通知部を更に備えることとしてもよい。
【０００９】
また、前記通知部は、前記通知として、前記メッセージが未読状態である旨のメッセージを前記通信端末に送信することとしてもよい。
【００１０】
また、前記通知部は、前記通知として、前記装着型端末の位置情報を送信することとしてもよい。
【００１１】
また、前記装着型端末は、前記ユーザの腕に装着可能な腕時計型の端末であり、前記検知部は、前記腕に装着されているか否かを検知することとしてもよい。
【００１２】
本発明の第２の態様においては、通信網を介して通信端末からメッセージを受信してから所定期間経過するまで前記メッセージが未読状態である場合に、報知を行うステップと、装着型端末がユーザに装着されているか否かを検知するステップと、前記ユーザに装着されていないと検知された場合には、前記報知を中止するステップと、を備える通知方法を提供する。
【００１３】
本発明の第３の態様においては、装着型端末が有するコンピュータに、通信網を介して通信端末からメッセージを受信してから所定期間経過するまで前記メッセージが未読状態である場合に、報知を行うステップと、装着型端末がユーザに装着されているか否かを検知するステップと、前記ユーザに装着されていないと検知された場合には、前記報知を中止するステップと、を実行させるためのプログラムを提供する。
【発明の効果】
【００１４】
本発明によれば、ユーザへの装着状況に応じて適切に動作可能な装着型端末を提供できるという効果を奏する。
【図面の簡単な説明】
【００１５】
【図１】本発明の第１の実施形態に係る通信システムＳの構成の一例を示す概略図である。
【図２】携帯端末１の表示部１２の表示例を示す図である。
【図３】通信端末２のモード選択画面の一例を示す図である。
【図４】通信端末２の通知画面の一例を示す図である。
【図５】携帯端末１の機能構成の一例を示すブロック図である。
【図６】携帯端末１が装着された腕を動かしている状態を示す図である。
【図７】通信端末２への通知処理の一例を説明するためのフローチャートである。
【図８】第２の実施形態に係る携帯端末１の機能構成の一例を示すブロック図である。
【図９】第３の実施形態に係る通信端末２と携帯端末１の間の近距離通信を説明するための図である。
【図１０】第３の実施形態に係る通信端末２の機能構成の一例を示すブロック図である。
【発明を実施するための形態】
【００１６】
＜第１の実施形態＞
［通信システムの概要］
図１を参照しながら、本発明の第１の実施形態に係る通信システムの概要について説明する。
【００１７】
図１は、第１の実施形態に係る通信システムＳの構成の一例を示す概略図である。図１に示すように、通信システムＳは、携帯端末１と、通信網である携帯電話網Ｎを介して携帯端末１と通信可能な通信端末２とを有する。
【００１８】
携帯端末１は、子供によって使用される装着型端末である。具体的には、携帯端末１は、子供の腕（具体的には手首）に装着される腕時計型端末である。携帯端末１は、表示画面及びタッチパネルが重畳された表示部１２と、携帯端末１を手首に固定するためのベルト１８とを有する。子供は、手首に携帯端末１が装着された腕を適宜回転や上下動しながら、表示部１２の表示画面を見たり、タッチパネルを介して入力操作を行ったりする。携帯端末１は、単独で携帯電話の機能を有しており、子供は、携帯端末１を用いて通話をしたりメールを送受信したりすることができる。
【００１９】
図２は、携帯端末１の表示部１２の表示例を示す図である。図２（ａ）は、表示部１２に時計が表示された状態を示している。ユーザである子供が表示部１２にタッチすると、図２（ｂ）に示すメニュー画面に遷移する。子供は、メニュー画面に表示された複数の項目の中から、処理を実行させたい項目を選択可能である。
例えば、携帯端末１は、子供がメニュー画面の電話を選択すると電話を発信するための画面（図２（ｃ））に切り替え、ウォッチを選択するとタイマー等の時間に関する機能を起動するための画面（図２（ｄ））に切り替える。また、携帯端末１は、子供がメニュー画面のメールを選択するとメッセージをメール送信するための画面（図２（ｅ））に切り替え、履歴を選択すると操作履歴を表示する画面（図２（ｆ））に切り替える。
【００２０】
図１に戻り、通信端末２は、携帯端末１のユーザである子供の親によって使用される端末である。通信端末２は、例えばスマートフォン、携帯電話及びコンピュータ等のように通信機能を有する任意の端末であり、携帯電話網Ｎを介して携帯端末１との間で情報を送受信する。通信端末２では、親が携帯端末１と連携して動作を実行するモードを選択可能である。
【００２１】
図３は、通信端末２のモード選択画面の一例を示す図である。図３に示すモード選択画面では、見守りモード、お出かけモードを選択可能である。
見守りモードは、携帯端末１のユーザである子供の位置や移動状態を追跡するモードである。見守りモードを選択することで、通信端末２は、携帯端末１から通知された子供の位置や移動状態を表示部に表示できる。例えば、子供が所定場所（例えば学校や塾）に到着したり所定場所から出発したりすると、携帯端末１から位置情報等が通信端末２へ通知される。これにより、親は、子供の位置や移動状態を見守ることができる。
【００２２】
お出かけモードは、例えば親と子供が一緒に出かけた際に子供が迷子になることを防止するために、子供（携帯端末１）が親（通信端末２）から所定距離以上離れると、携帯端末１の位置情報等が携帯端末１から通信端末２へ通知される。これにより、親は、迷子になった子供の位置等を容易に把握できる。
通信端末２では、見守りモード及びお出かけモードに限定されず、携帯端末１に対する様々なモードを選択可能である。
【００２３】
本実施形態に係る携帯端末１は、詳細は後述するが、携帯端末１が子供に装着されていないと検知された場合には、通信端末２に通知を行う。例えば、携帯端末１は、携帯端末１が子供に装着されていない旨のメッセージを通信端末２に送信したり、携帯端末１の位置情報を通信端末２に送信したりする。すると、通信端末２は、携帯端末１からの通知に対応する通知画面を表示させる。
【００２４】
図４は、通信端末２の通知画面の一例を示す図である。図４に示す通知画面では、携帯端末１が子供に装着されていない旨のメッセージＭが表示されている。また、通知画面には、子供の位置Ｐも表示されている。これにより、通知を受けた親は、通知画面を見ることで、携帯端末１が子供に装着されていないことを容易に把握できる。また、通知される位置情報は、携帯端末１が装着されていない子供の位置をほぼ示しているので、親は子供の位置を把握できる。この結果、親は、子供がメールや電話着信に応答できないと判断し、子供の位置を勘案した善後策（例えば、子供の近くにいる知人に子供への伝言を依頼する）を講じやすくなる。
【００２５】
［携帯端末の詳細構成］
図５を参照しながら、ユーザが子供である携帯端末１の詳細構成の一例について説明する。
【００２６】
図５は、携帯端末１の機能構成の一例を示すブロック図である。図５に示すように、携帯端末１は、通信ＩＦ部１１と、表示部１２と、検出センサ１３と、記憶部１４と、制御部１５とを有する。
【００２７】
通信ＩＦ部１１は、携帯電話網Ｎ（図１）と接続するための無線通信インターフェイスである。通信ＩＦ部１１は、例えば変復調回路、高周波回路及びアンテナを含む。通信ＩＦ部１１は、携帯電話網Ｎを介して通信端末２との間で情報の送受信を行ったり、通話を行ったりする。
【００２８】
表示部１２は、例えば液晶ディスプレイである。表示部１２は、制御部１５の制御により、図２に示した各種画面を表示することができる。表示部１２は、液晶ディスプレイを照らすバックライトを含んでもよい。
【００２９】
検出センサ１３は、携帯端末１の位置を検出したり、携帯端末１が子供に装着されているか否かを検出したりするセンサである。検出センサ１３は、例えばＧＰＳ（Global Positioning System）から緯度・経度情報を取得する位置センサ、及び加速度センサを有する。
検出センサ１３は、位置センサがＧＰＳから取得した緯度・経度情報に基づいて、携帯端末１の位置を検出する。また、検出センサ１３は、例えば３軸方向の成分を検出可能な加速度センサが取得したユーザ（携帯端末１）の動き等に基づいて、携帯端末１が子供の腕に装着されているか否かを検出する。
【００３０】
図６は、子供が、携帯端末１が装着された腕を動かしている状態を示す図である。携帯端末１が腕に装着されている場合には、図６に示すように腕が上下動したり回転したりすることに伴い、加速度センサの出力値が大きくなる。一方で、携帯端末１が装着されずに机上等に放置されている場合には、加速度センサの出力値がゼロとなる。このため、加速度センサの出力値を見ることで、携帯端末１が腕に装着されているか否かを判定できる。検出センサ１３は、検出結果を制御部１５へ出力する。
【００３１】
なお、検出センサ１３は、加速度センサに加えて又は加速度センサの代わりに、腕の温度を検出可能な温度センサを有してもよい。これにより、温度センサが腕の温度を検出した場合には、携帯端末１が腕に装着されていると判定できる。
【００３２】
図５に戻り、記憶部１４は、不揮発性メモリ（例えばＲＯＭ）及び揮発性メモリ（例えばＲＡＭ）を含む。記憶部１４は、制御部１５により実行されるプログラムや、携帯端末１の位置情報及び携帯端末１が子供の腕に装着されているか否かの情報を記憶している。また、記憶部１４は、制御部１５がプログラムを実行することにより生成する各種のデータを一時的に記憶している。
【００３３】
制御部１５は、例えばＣＰＵである。制御部１５は、記憶部１４に記憶されたプログラムを実行することにより、携帯端末１の各部を制御する。制御部１５は、図５に示すように、受信部１５１と、モード実行部１５２と、検知部１５３と、取得部１５４と、通知部１５５とを有する。
【００３４】
受信部１５１は、通信ＩＦ部１１を介して通信端末２から情報を受信する。例えば、受信部１５１は、通信端末２から、携帯端末１の所定の動作モードの実行指示を受信する。具体的には、受信部１５１は、通信端末２で例えば図３に示す見守りモードやお出かけモードが選択されると、選択したモードに対応する動作モードの実行指示を受信する。受信部１５１は、受信した実行指示をモード実行部１５２に出力する。なお、受信部１５１は、図示しない外部サーバから地図情報等を受信してもよい。
【００３５】
モード実行部１５２は、受信部１５１が受信した実行指示を受けて、通信端末２で選択されたモードに対応する動作モードを開始させる。例えば、モード実行部１５２は、通信端末２で見守りモードが選択されると、見守りモードに対応した子供の移動状態を追跡して通信端末２に情報を通知する動作モードを開始する。
【００３６】
検知部１５３は、携帯端末１が子供（具体的には腕）に装着されているか否かを検知する。例えば、検知部１５３は、検出センサ１３（具体的には加速度センサや温度センサ）が検出した結果により、携帯端末１が腕に装着されているか否かを検知する。具体的には、検知部１５３は、加速度センサの出力値が所定閾値よりも大きくなっている場合や、出力値が所定期間以上変化している場合には、携帯端末１が腕に装着されていると判定する。検知部１５３は、検知結果を取得部１５４に出力する。
【００３７】
取得部１５４は、検知部１５３によって携帯端末１が腕に装着されていないと検知された場合に、携帯端末１の位置情報を取得する。例えば、取得部１５４は、検出センサ１３（具体的には位置センサ）から、位置センサが検出した位置情報を取得する。取得部１５４は、取得した位置情報を通知部１５５に出力する。
【００３８】
通知部１５５は、検知部１５３によって携帯端末１が腕に装着されていないと検知された場合には、通信端末２に携帯端末１の状態に関する通知を行う。例えば、通知部１５５は、取得部１５４が取得した位置情報を通信端末２に送信する。また、通知部１５５は、取得部１５４が取得した位置情報と共に、携帯端末１が腕に装着されていない旨のメッセージを通信端末２に送信してもよい。なお、通知部１５５は、位置情報を送信せずに、携帯端末１が腕に装着されていない旨のメッセージを通信端末２に送信してもよい。
【００３９】
通知部１５５が通信端末２に通知を行うと、通信端末２は、例えば前述した図４に示す通知画面を表示する。すなわち、通信端末２は、携帯端末１が腕から外れている旨のメッセージと、子供の位置とを表示する。これにより、通信端末２のユーザである親は、携帯端末１が子供の腕に装着されていないことを把握できると共に、携帯端末１を装着していない子供の位置も把握できる。
【００４０】
本実施形態において、通知部１５５は、通信端末２からの要求に応じた動作モード（具体的には、親が通信端末２で選択した見守りモードに対応した動作モード）を実行中に所定時間携帯端末１が腕に装着されていないと検知された場合に、通信端末２に通知を行う。すなわち、携帯端末１は、通信端末２からの要求があった場合に、通知を行うことになる。これにより、通信端末２に不要な通知がされることを防止できる。
【００４１】
通知部１５５は、携帯端末１が腕に装着されていないと検知され、かつ通信端末２からの電話着信があった場合に、通信端末２に通知を行ってもよい。同様に、通知部１５５は、携帯端末１が腕に装着されていないと検知され、かつ通信端末２からメッセージ（メール）を受信した場合に、通信端末２に通知を行ってもよい。携帯端末１が腕に装着されていない場合には、子供は、通信端末２からの電話着信やメッセージに対応できない可能性が高いと想定される。このため、通信端末２に通知を行うことで、通信端末２のユーザである親は、子供が電話着信やメッセージに対応できない理由を把握できる。
【００４２】
また、通知部１５５は、通信端末２から受信したメッセージが未読状態である旨のメッセージを通信端末２に送信してもよい。これにより、通信端末２のユーザである親は、携帯端末１が腕に装着されていないためメッセージが未読状態であることを把握でき、その上で他の善後策を講じやすくなる。
【００４３】
なお、上記では、携帯端末１が子供の手首に装着される時計型端末であることとしたが、これに限定されない。例えば、携帯端末１は、紐等を介して子供の首に着ける装着型端末であってもよい。かかる装着型端末においても、子供が装着型端末を着けた状態で動くと加速度センサの出力値が大きいので、装着型端末が子供に装着されているか否かを判定できる。このように、携帯端末１として様々な形態のウェアラブル端末が適用可能である。
【００４４】
［通信端末への通知処理］
図７を参照しながら、携帯端末１が子供の腕に装着されていないと検知された際の通信端末２への通知処理について説明する。通信端末２への通知処理は、携帯端末１の制御部１５が記憶部１４に記憶されたプログラムを実行することで実現される。なお、当該プログラムは、外部サーバからダウンロードされたものであってもよい。
【００４５】
図７は、通信端末２への通知処理の一例を説明するためのフローチャートである。本フローチャートは、子供の親が、通信端末２で所定の動作モード（見守りモードやお出かけモード）を選択したところから開始される。
【００４６】
親が所定の動作モードを選択すると、携帯端末１の受信部１５１は、携帯電話網Ｎを介して通信端末２から所定の動作モード（ここでは、見守りモードであるものとする）の実行指示を受信する（ステップＳ１０２）。すると、モード実行部１５２は、見守りモードに対応した動作を開始させる。例えば、検出センサ１３による検出が開始される。
【００４７】
次に、検知部１５３は、検出センサ１３の検出結果に基づいて、携帯端末１が子供の腕に装着されているか否かを検知する（ステップＳ１０４）。そして、ステップＳ１０４で携帯端末１が腕に装着されていると検知された場合には（Ｎｏ）、制御部１５は、検出センサ１３による検出を継続させる。
【００４８】
ステップＳ１０４で携帯端末１が腕に装着されていないと検知された場合には（Ｙｅｓ）、取得部１５４は、携帯端末１の位置情報を取得する（ステップＳ１０６）。例えば、取得部１５４は、検出センサ１３（具体的には位置センサ）から、位置センサが検出した位置情報を取得する。
【００４９】
次に、通知部１５５は、通信端末２に通知する（ステップＳ１０８）。具体的には、通知部１５５は、ステップＳ１０６で取得した位置情報と、携帯端末１が腕に装着されていない旨のメッセージとを、通信端末２に送信する。通信端末２は、携帯端末１からの通知を受けて、例えば図４に示すような通知画面を表示する。
【００５０】
通信端末２への通知後、制御部１５は、上述したステップＳ１０４〜Ｓ１０８の動作を繰り返す。一方で、親が通信端末２で選択した動作モードを解除すると（ステップＳ１１０：Ｙｅｓ）、本処理が終了する。
【００５１】
なお、上記では、通信端末２は、子供の腕に携帯端末１が装着されていないと検知されると、携帯端末１からの通知に対応した通知画面を表示することとしたが、これに限定されない。例えば、通信端末２は、携帯端末１からの通知に基づいて音声を出力したり、通信端末２を振動させたりして、親に報知してもよい。
また、通信端末２が画面や音声で携帯端末１が装着されていることを報知した後、所定時間経過しても携帯端末１が装着されていないと検知される場合には、携帯端末１は、位置情報を取得し、取得した位置情報を通信端末２に順次送信してもよい。かかる場合には、携帯端末１が腕に装着されるまで、位置情報が通信端末２に送信されることになる。
【００５２】
また、上記では、見守りモードの実行中の通信端末２への通知について説明したが、これに限定されない。例えば、お出かけモードの実行中に迷子になった子供の腕から携帯端末１が外されたと検知された場合に、携帯端末１が通信端末２に通知することとしてもよい。
具体的には、お出かけモード時には、携帯端末１は、通信端末２との間でBluetooth（登録商標）等の近距離通信を行う。そして、子供が親から離れて端末間の近距離通信が不通になった場合には、通知部１５５は、子供の腕から携帯端末１が外されたと推定し、その旨を通信端末２に通知する。
【００５３】
［第１の実施形態における効果］
以上の通り、第１の実施形態に係る携帯端末１は、携帯端末１が子供の腕に装着されていないと検知された場合には、通信端末２に通知を行う。例えば、携帯端末１は、携帯端末１が腕に装着されていない旨のメッセージを通信端末２に送信したり、携帯端末１の位置情報を通信端末２に送信したりする。
【００５４】
これにより、通信端末２のユーザである親は、子供の腕から携帯端末１が外された場合に携帯端末１から通知を受けることで、携帯端末１が腕に装着されていないことを把握できる。また、通知される位置情報は、携帯端末１が装着されていない子供の位置をほぼ示しているので、親は子供の位置も把握できる。この結果、親は、子供がメールや電話着信に応答できないと判断し、子供の位置を勘案した善後策（例えば、子供の近くにいる知人に子供への伝言を依頼する）を講じやすくなる。
【００５５】
＜第２の実施形態＞
図８を参照しながら、第２の実施形態について説明する。
図８は、第２の実施形態に係る携帯端末１の機能構成の一例を示すブロック図である。第２の実施形態に係る携帯端末１は、第１の実施形態の構成（図５参照）に加えて、報知部１５６を更に備える。
【００５６】
報知部１５６は、通信端末２からメッセージ（メール）を受信してから所定期間経過するまでメッセージが未読状態である場合に、報知を行う。例えば、報知部１５６は、定期的に、携帯端末１に設けられたスピーカから音声を出力させたり、携帯端末１を振動させたりすることで、未読のメッセージがあることを子供に知らせる。これにより、子供は、未読のメッセージの存在に気付くことができる。
【００５７】
報知部１５６は、検知部１５３によって携帯端末１がユーザである子供の腕に装着されていないと検知された場合には、報知を中止する。すなわち、報知部１５６は、未読状態のメッセージがあっても、携帯端末１が子供の腕に装着されていない場合（子供が報知に気付かない場合）には、報知を行う実益性が乏しいので、スピーカからの音声出力や携帯端末１の振動を行わない。これにより、携帯端末１の電力が無駄に消費されることを防止できる。
【００５８】
通知部１５５は、報知部１５６が報知を中止すると、通信端末２に通知を行う。すなわち、通知部１５５は、携帯端末１が腕に装着されていない旨のメッセージと、携帯端末１の位置情報とを、通信端末２に送信する。これにより、親は、送信したメールが未読状態であることと、子供の位置とを把握できる。
【００５９】
上記では、通信端末２からのメッセージ（メール）を受信した場合の報知について説明したが、これに限定されない。例えば、通信端末２からの電話着信があった場合にも、同様な処理を行ってもよい。すなわち、通知部１５５は、通信端末２からの電話着信から所定時間経過するまで通信端末２に電話をしない場合には、着信があった旨の報知を行うが、携帯端末１が腕に装着されていない場合には、前記報知を中止する。
【００６０】
第２の実施形態によれば、通信端末２からのメッセージの受信があった場合に、携帯端末１の腕の装着の有無に基づいて、報知の有無を制御している。これにより、子供が報知に気付く状態（携帯端末１が腕に装着されている状態）の際に報知がされることで、不必要に報知がされることを防止できる。
【００６１】
＜第３の実施形態＞
第３の実施形態では、通信端末２は、親が図３に示すお出かけモードに選択した場合に、携帯端末１との間で近距離通信を行う。例えば、親は、子供と一緒に出かける際に、子供が迷子になることを防止するためにお出かけモードを選択する。
【００６２】
図９は、第３の実施形態に係る通信端末２と携帯端末１の間の近距離通信を説明するための図である。通信端末２は、お出かけモードの実行中に、近距離通信としてBluetooth（登録商標）により携帯端末１と定期的に通信を行う。
【００６３】
ところで、近距離通信は、携帯端末１と通信端末２の間の距離が大きくなると、不通となる。ここで、不通とは、携帯端末１から通信端末２への送信、及び通信端末２から携帯端末１への送信の両方が、完了しない場合を指す。これにより、一方の送信のみが完了しない場合に不通と判定する場合に比べて、不通状態を誤検出することを防止できる。
【００６４】
携帯端末１の通知部１５５は、近距離通信が不通になると、通信端末２に近距離通信が不通状態である旨を通知する。これにより、通信端末２のユーザである親は、携帯端末１のユーザである子供が親から離れていることを把握できる。そして、親は、例えば迷子の子供にメールや電話をすることで、迅速に子供と連絡が取れるようになる。
【００６５】
図１０は、第３の実施形態に係る通信端末２の機能構成の一例を示すブロック図である。通信端末２は、第１通信部２１と、第２通信部２２と、表示部２３と、記憶部２４と、制御部２５とを有する。
【００６６】
第１通信部２１は、携帯電話網Ｎ（図１）を介して携帯端末１の間で通信を行う。例えば、第１通信部２１は、近距離通信が不通になった場合に通知部１５５が通知する通知（不通通知とも呼ぶ）を受信する。また、第１通信部２１は、携帯端末１が子供の腕に装着されていない場合に通知部１５５が通知する通知（非装着通知とも呼ぶ）を受信する。
【００６７】
第２通信部２２は、携帯端末１との間で近距離通信を行う。
表示部２３は、例えば図３に示すモード選択画面を表示する。
記憶部２４は、制御部２５により実行されるプログラムや、制御部２５が生成する各種のデータを一時的に記憶している。
【００６８】
制御部２５は、例えばＣＰＵであり、通信端末２の各部を制御する。制御部２５は、表示部２３に表示されたモード選択画面にてお出かけモードが選択されると、お出かけモードに対応した制御を行う。例えば、制御部２５は、お出かけモードを実行中に第１通信部２１が携帯端末１から非装着通知を受信すると、お出かけモードを強制的に解除する。そして、制御部２５は、モードを解除した旨を、携帯端末１に通知する。これにより、第１通信部２１が携帯端末１から不通通知を受信することが無くなる。
【００６９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００７０】
１    携帯端末
２    通信端末
１５３    検知部
１５４    取得部
１５５    通知部
１５６    報知部
Ｓ    通信システム
Ｎ    携帯電話網
【図１】
0006353946.tif 000002
【図２】
0006353946.tif 000003
【図３】
0006353946.tif 000004
【図４】
0006353946.tif 000005
【図５】
0006353946.tif 000006
【図６】
0006353946.tif 000007
【図７】
0006353946.tif 000008
【図８】
0006353946.tif 000009
【図９】
0006353946.tif 000010
【図１０】
0006353946.tif 000011